【事件の表示】
　特願２００４−３１５８５８「ライン式インクジェット記録装置及びインクジェット記録装置」拒絶査定不服審判事件〔平成１８年　５月１８日出願公開、特開２００６−１２３３９７〕について、次のとおり審決する。
【結　論】
　本件審判の請求は、成り立たない。
【理　由】
１　手続の経緯
　本願は、平成１６年１０月２９日に出願したものであって、平成２２年５月３１日付け、同年９月２日付け及び同年１２月１７日付けで手続補正がなされ、平成２３年４月１８日付けで平成２２年１２月１７日付け手続補正が補正却下されるとともに、同日付けで拒絶査定がなされ、これに対し、平成２３年７月２５日付けで拒絶査定に対する審判請求がなされたものである。
　その後、平成２４年５月１１日付けで、合議体の見解を示し意見を求めるための審尋を行ったが、回答書は提出されなかった。
　
２　本願発明
（１）平成２２年９月２日付け手続補正後の請求項１の記載は、以下のとおりである。（下線は、審決で付した。以下同様。）
「被印字媒体を一方向に搬送する搬送手段と、
　インク吐出面に形成された複数のノズルと、一表面に開口するとともに前記ノズルに連通する複数の圧力室と、前記一方向と交差する方向Ａに沿って延在し、前記一方向に並ぶとともにインクが貯溜される複数の共通インク室と、前記共通インク室の出口から圧力室を経て前記ノズルに至る複数の個別インク流路とが形成されており、前記方向Ａに延在した流路ユニットと、
　前記流路ユニットの一表面に固定され、それぞれが対応する前記圧力室内のインクに吐出エネルギーを付与する複数のアクチュエータが、前記複数の圧力室に跨るように連続して延在する板状の圧電シートと、前記圧電シートの表面に前記圧力室とそれぞれ対向して配置された複数の個別電極と、前記複数の個別電極とともに前記圧電シートを挟む共通電極とを含む積層体に形成されたアクチュエータユニットと、
　前記複数のアクチュエータに
２以上ｍ（ｍ：２以上の自然数）以下の種類の吐出信号
　前記複数の圧力室は、菱形の平面形状を有し、前記方向Ａに沿って鈍角部が互いに対向しつつ等間隔で配列して前記圧力室列を構成しているとともに、前記方向Ａと鈍角をなす方向であって、前記圧力室の一斜辺に沿った方向Ｂに配列して、千鳥状配列パターンでマトリクス状に隣接配置され、
　同じ前記共通インク室に連通したｎ（ｎ：２以上の自然数）個の圧力室が、当該共通インク室に沿って延びたｍ個の圧力室列を形成しており、
　前記アクチュエータ制御手段は、前記被印字媒体が前記搬送手段によって前記一方向に関する印字の解像度に対応する単位距離だけ搬送されるのに要する時間を印字周期としたとき、１つの前記印字周期において、
前記同じ共通インク室に係る前記ｍ個の圧力室列に対して、当該圧力室列を単位として前記吐出信号を互いに異なる吐出タイミングで供給する
間に前記圧力室を挟まずに隣接する
　
（２）上記請求項１には「２以上ｍ（ｍ：２以上の自然数）以下の種類の吐出信号」という記載があるが、本願明細書の段落【００５９】ないし【００６８】を参酌すると、異なる遅延がかけられた吐出信号が異なる種類の吐出信号であると認められる。即ち、遅延の部分も含んだ信号を吐出信号と称しているものと認められる。
　また、「２以上ｍ（ｍ：２以上の自然数）以下の種類」と特定されていることから、吐出信号は２種類でも良いことは明らかである。
（３）一方、上記請求項１には「
前記吐出信号
（４）また、上記請求項１には「前記同じ共通インク室に係る前記
ｍ個の圧力室列に対して
互いに異なる
　更に、上記請求項１には「間に前記圧力室を挟まずに隣接する」とあるが、この記載がどの文節に係っているのか明確でない。
（５）以上のように、請求項１の記載が不明確であるので、請求人に請求項１の意味を問い合わせたところ、請求人は、平成２４年４月２４日付けで補正案と称して、請求項１について、以下の内容をファクシミリで提出した。
　
「被印字媒体を一方向に搬送する搬送手段と、
　インク吐出面に形成された複数のノズルと、一表面に開口するとともに前記ノズルに連通する複数の圧力室と、前記一方向と交差する方向Ａに沿って延在し、前記一方向に並ぶとともにインクが貯溜される複数の共通インク室と、前記共通インク室の出口から圧力室を経て前記ノズルに至る複数の個別インク流路とが形成されており、前記方向Ａに延在した流路ユニットと、
　前記流路ユニットの一表面に固定され、それぞれが対応する前記圧力室内のインクに吐出エネルギーを付与する複数のアクチュエータが、前記複数の圧力室に跨るように連続して延在する板状の圧電シートと、前記圧電シートの表面に前記圧力室とそれぞれ対向して配置された複数の個別電極と、前記複数の個別電極とともに前記圧電シートを挟む共通電極とを含む積層体に形成されたアクチュエータユニットと、
　前記複数のアクチュエータに２以上ｍ（ｍ：２以上の自然数）以下の種類の
吐出タイミングで
　前記複数の圧力室は、菱形の平面形状を有し、前記方向Ａに沿って鈍角部が互いに対向しつつ等間隔で配列して前記圧力室列を構成しているとともに、前記方向Ａと鈍角をなす方向であって、前記圧力室の一斜辺に沿った方向Ｂに配列して、千鳥状配列パターンでマトリクス状に隣接配置され、
　同じ前記共通インク室に連通したｎ（ｎ：２以上の自然数）個の圧力室が、当該共通インク室に沿って延びたｍ個の圧力室列を形成しており、
　前記アクチュエータ制御手段は、前記被印字媒体が前記搬送手段によって前記一方向に関する印字の解像度に対応する単位距離だけ搬送されるのに要する時間を印字周期としたとき、１つの前記印字周期において、前記同じ共通インク室に係る前記ｍ個の圧力室列に対して、当該圧力室列を単位として前記吐出信号を
隣接する圧力室列間において
前記共通インク室に係る前記圧力室列と、当該圧力室列との間に前記圧力室を挟まずに隣接する前記圧力室列であって当該共通インク室に隣接する別の前記共通インク室に係る前記圧力室列と
　
　上記内容は、本願の発明の詳細な説明と矛盾するものではなく、平成２２年９月２日付け手続補正後の請求項１の記載の不明確な部分を明確にしたものと認められる。よって、平成２２年９月２日付け手続補正後の請求項１の記載は、上記ファクシミリで提出された内容を意味しているものとして以下、審理する（ファクシミリで提出された請求項１の内容を以下「本願発明」という。）。
（なお、請求人に対して、平成２２年９月２日付け手続補正後の請求項１の記載は、上記ファクシミリで提出された内容を意味しているものとして、進歩性の判断を行う旨電話で伝えた。）
　
３　引用刊行物
　原査定の拒絶の理由に引用され、本願出願前に頒布された特開２００４−１６０９６６号公報（以下「刊行物１」という。）には、以下の記載が図とともにある。
　ア　【００２１】
図１は、本発明の
第１の実施の形態
インクジェットプリンタ１０１
【００２２】
プリンタ１０１内部には、給紙部１１１から排紙部１１２に向かって流れる用紙搬送経路が形成されている。給紙部１１１のすぐ下流側には、画像記録媒体たる用紙を挟持搬送する一対の送りローラ１０５ａ、１０５ｂが配置されている。
一対の送りローラ１０５ａ、１０５ｂによって用紙は図中左方から右方へ送られる
　イ　【００２５】
４つのインクジェットヘッド１は、その下端にヘッド本体１ａを有している。ヘッド本体１ａは、それぞれが矩形断面を有しており、その長手方向が用紙搬送方向に垂直な方向（図１の紙面垂直方向）となるように互いに近接配置されている。つまり、このプリンタ１０１は、
ライン式プリンタ
　ウ　【００３９】
図４は、ヘッド本体１ａの模式的な平面図である。図４において、ベースブロック１３８内に形成されたインク溜まり３が仮想的に破線で描かれている。図４に示すように、
ヘッド本体１ａは、
主走査方向
に延在した矩形平面形状をしている
ヘッド本体１ａは、後述する多数の圧力室１０やノズル先端のインク吐出口８
が形成された流路ユニット４を有しており、その上面には、千鳥状になって２列に配列された複数の台形のアクチュエータユニット２１が接着されている
　エ　【００４１】
図５は、図４内に描かれた一点鎖線で囲まれた領域の拡大図である。図４及び図５に示すように、インク溜まり３は、開口３ｂを介してその下層にある流路ユニット４内のマニホールド５と連通している。開口３ｂには、インク内に含有される塵埃などを捕獲するためのフィルタ（図示せず）が設けられている。マニホールド５は、その先端部が２つに分岐して副マニホールド５ａとなっている。１つのアクチュエータユニット２１の下部には、当該アクチュエータユニット２１に対してインクジェットヘッド１の長手方向両隣にある２つの開口３ｂからそれぞれ２つの副マニホールド５ａが進入してきている。つまり、
１つのアクチュエータユニット２１の下部には、合計で４つの副マニホールド５ａがインクジェットヘッド１の長手方向に沿って延在している
各副マニホールド５ａは、インク溜まり３から供給されたインクで満たされている
【００４２】
図６は、図５内に描かれた一点鎖線で囲まれた領域の拡大図である。図５及び図６に示すように、アクチュエータユニット２１の上面には、平面形状がほぼひし形の個別電極３５がマトリクス状に規則的に配列されている。また、流路ユニット４のアクチュエータユニット２１に対応したインク吐出領域の表面には、多数のインク吐出口８がマトリクス状に規則的に配列されている。
流路ユニット４内には、共に各インク吐出口８と連通した、平面形状が個別電極３５よりも一回り大きいほぼひし形の圧力室（キャビティ）１０と、アパーチャ１２とがそれぞれマトリクス状に規則的に配列されている
【００４３】
図７は、図４に描かれたヘッド本体１ａの圧力室長手方向に沿った部分断面図である。各インク吐出口８は、図７からも分かるように、先細形状のノズルの先端に形成されている。
各インク吐出口８は、圧力室１０
及びアパーチャ１２を介して副マニホールド５ａと連通している
【００４４】
また、図７から明らかなように、圧力室１０とアパーチャ１２とは異なる高さに設けられている。これにより、図６に示すように、アクチュエータユニット２１の下方にあるインク吐出領域に対応した流路ユニット４内において、１つの圧力室１０と連通したアパーチャ１２を、当該圧力室に隣接する圧力室１０と平面視で同じ位置に配置することが可能となっている。この結果、
圧力室１０同士が密着して高密度に配列される
【００４５】
圧力室１０は
インクジェットヘッド１の長手方向（第１配列方向）と、インクジェットヘッド１の幅方向からやや傾いた方向（第２配列方向）との２方向にインク吐出領域内で配列されている
第１配列方向と第２配列方向は、直角よりもやや小さい角度θをなしている
【００４６】
次に、図８を参照して、流路ユニット４の構造をより詳細に説明する。図８は、圧力室１０、インク吐出口８及びアパーチャ（制限流路）１２の三者の位置関係を示す模式的な図である。図８に示すように、圧力室１０は、第１配列方向に所定の間隔である５０ｄｐｉで列状に配列されている。このような圧力室１０の列は、第２配列方向には１２列配列されて、全体として圧力室１０は１つのアクチュエータユニット２１に対応したインク吐出領域内において２次元配列をしている。
【００４７】
圧力室１０には、
ノズルが
上側の鋭角部に接続されている圧力室１０ａと、下側の鋭角部に接続されている圧力室１０ｂとの２種類がある
複数の圧力室１０ａ及び複数の圧力室１０ｂは、共に第１配列方向に配列されて圧力室列１１ａ、１１ｂをそれぞれ形成している
下側から順に２列の圧力室列１１ａが配列され、その上側に隣接して２列の圧力室列１１ｂが配列されている
　オ　【００５９】
次に、本実施の形態によるインクジェットヘッド１の断面構造について説明する。図９は、図４に描かれたヘッド本体１ａの部分分解斜視図である。図７及び図９に示すように、
インクジェットヘッド１の底部側の要部は、上から、アクチュエータユニット２１、キャビティプレート２２、ベースプレート２３、アパーチャプレート２４、サプライプレート２５、マニホールドプレート２６，２７，２８、カバープレート２９及びノズルプレート３０の合計１０枚のシート材が積層された積層構造を有している
これらのうち、アクチュエータユニット２１を除いた９枚のプレートから流路ユニット４が構成されている
　カ　【００６０】
アクチュエータユニット２１は、
４枚の圧電シート４１〜４４
が積層され且つ電極が配されることによってそのうちの最上層だけが電界印加時に活性層となる部分を有する層
とされ、残り３層が非活性層とされたものである
【００６１】
これら１０枚のシート２１〜３０は、図７に示すようなインク流路３２が形成されるように、互いに位置合わせして積層される。このインク流路３２は、副マニホールド５ａからまず上方へ向かい、アパーチャ１２において水平に延在し、それからさらに上方に向かい、圧力室１０において再び水平に延在し、それからしばらくアパーチャ１２から離れる方向に斜め下方に向かってから垂直下方にインク吐出口８へと向かう。
【００６２】
次に、アクチュエータユニット２１の詳細な構造について説明する。図１０は、アクチュエータユニット２１の拡大平面図である。図１１は、図１０のXI−XI線に沿ったインクジェットヘッド１の部分断面図である。
【００６３】
図１０に示すように、
アクチュエータユニット２１の上面であって平面視で各圧力室１０と実質的に重なり合う位置には、
個別電極３５がそれぞれ設けられている
【００６４】
図１１に示すように、アクチュエータユニット２１は、それぞれ厚みが１５μｍ程度で同じになるように形成された４枚の圧電シート４１、４２、４３、４４を含んでいる。そして、アクチュエータユニット２１には、個別電極３５及び共通電極３４の電位を制御する信号を供給するためのＦＰＣ１３６が貼り付けられている。
圧電シート４１〜４４は、
多数の圧力室１０に跨って配置されるように連続した層状の平板（連続平板層）となっている
【００６５】
最上層にある圧電シート４１とその下方に隣接した圧電シート４２との間には、シート全面に形成された
共通電極３４が介在している
【００６６】
共通電極３４は、図示しない領域においてＦＰＣ１３６を介して接地されている。これにより、共通電極３４は、すべての圧力室１０に対応する領域において等しくグランド電位に保たれている。また、
個別電極３５は、各圧力室１０に対応して選択的に電位を制御することができるように、
リード線を介してドライバＩＣ１３２に接続されている
　キ　【０１０９】
次に、
本発明の第２の実施の形態
【０１１０】
図２１は、本実施の形態によるインクジェットヘッドにおけるアクチュエータユニットの拡大平面図である。図２２は、図２１のXXII−XXII線に沿ったインクジェットヘッド１の部分断面図である。本実施の形態によるインクジェットヘッドに含まれる流路ユニットは、第１の実施の形態と同様に構成されている。また、本実施の形態によるインクジェットヘッドに含まれるアクチュエータユニット２２１は、積層された４枚の圧電シート２４１〜２４４の内部に共通電極２３４及び補強用電極２３６ａ、２３６ｂが支持されたものである点において、第１の実施の形態のアクチュエータユニット２１と共通している。しかしながら、圧電シート２４１の外側面（圧力室１０側の面とは反対側の面）に、（主電極部２３５ａ及び補助電極部２３５ｂからなる）個別電極２３５の外縁に沿って、これを取り囲むように溝部２５３が形成されており、且つ、圧電シート２４１の上面の個別電極２５３及び溝部２５３以外のほぼ全領域が導電膜２３８で被覆されている点において、第１の実施の形態のアクチュエータユニット２１と相違している。
【０１１１】
導電膜２３８は、個別電極２３５と同じ材料を用いて同じ厚みに形成されている。個別電極２３５と導電膜２３８との間を絶縁する溝部２５３は、幅３０μｍ程度、深さ５〜１０μｍ程度に形成されている。後述するように、
溝部２５３によって、ある圧力室１０に対応した圧電シートの変形による影響が隣接する圧力室１０上の圧電シートに伝わりにくくなり、隣接した圧力室１０間のクロストークの発生を低減させることが可能となっている
・・・
【０１２４】
また、本実施の形態では、導電膜２３８が除去された後もレーザ加工を引き続いて行うことにより、
圧電シート２４１の厚さの１／３〜２／３程度の深さを有する溝部２５３を圧電シート２４１に形成する。このように、個別電極２３５と導電膜２３８との間に個別電極２３５の外縁に沿って溝部２５３を形成することによって、ある圧力室１０に対応した圧電シートの変形による影響が隣接する圧力室１０上の圧電シートに伝わりにくくなり、隣接した圧力室１０間のクロストークの発生を低減させることが可能となっている
・・・
【０１２７】
また、本実施の形態では、導電膜２３８の除去に引き続いて最上層の圧電シート２４１を一部除去して溝部２５３を形成しているが、溝部２５３は必ずしも形成しなくてよい。また、溝部２５３は共通電極２３４を孤立させない限りは上から２層目の圧電シート２４２以下まで達していてもよく、
溝部２５３を深く形成するほどクロストーク抑制効果は大きくなる
　
　ク　上記ア、【図１】及び【図２】から、副走査方向に用紙が送られていることが看取できる。
　ケ　【図２】、【図４】、【図５】、【図６】及び【図８】から、主走査方向とインクジェットヘッド１の長手方向と第１配列方向がいずれも同じ方向であることが看取できる。
　コ　【図６】及び【図８】から、複数の圧力室１０は、ほぼひし形の平面形状をしており、第１配列方向に沿って鈍角部が互いに対向しつつ等間隔で配列され圧力室列１１ａ、１１ｂを構成していることが看取でき、また、上記エの段落【００４５】に「第１配列方向と第２配列方向は、直角よりもやや小さい角度θをなしている」と記されているが、角度θの補角が鈍角であることは明らかであるし、【図６】及び【図８】から、複数の圧力室１０は、第１配列方向と鈍角をなす方向であって、圧力室１０の一斜辺に沿った方向に配列されていることが看取できる。更に、一つの圧力室列を形成するほぼひし形の圧力室１０の一方の鋭角部は前記圧力室列の一方に隣接する圧力室列の２つの圧力室間に入り込み、前記一つの圧力室列を形成する圧力室１０の一方の斜辺と前記圧力室列の一方に隣接する圧力室列の圧力室の斜辺が接近するように位置しており、前記一つの圧力室列を形成するほぼひし形の圧力室１０の他方の鋭角部は他方に隣接する圧力室列の２つの圧力室間に入り込み、前記一つの圧力室列を形成する圧力室１０の他方斜辺と前記圧力室列の他方に隣接する圧力室列の圧力室の斜辺が接近するように位置していることが看取できる。
　サ　【図６】及び【図８】から、例えば【図６】の下方の副マニホールド５ａ（【図８】では下から２番目の副マニホールド５ａ）に着目すると、副マニホールド５ａには、副マニホールド５ａに沿って延びた２つの圧力室列１１ａと２つの圧力室列１１ｂの合計４つの圧力室列を形成している複数の圧力室１０がアパーチャ１２を介して連通しており、前記圧力室列１１ａを形成している複数の圧力室１０は、下方の鋭角部からアパーチャ１２が下方に延び、前記圧力室列１１ｂを形成している複数の圧力室１０は、上方の鋭角部からアパーチャ１２が上方に延びていることが看取できる。
　シ　上記オ、【図７】及び【図９】から、流路ユニット４の最上部に配置されたキャビティプレート２２に形成された圧力室１０は、流路ユニット４の表面に開口していることが看取できる。
　
　上記記載及び図面を含む刊行物１の第１の実施の形態に関する記載から、刊行物１には、以下の発明が記載されていると認められる。
「一対の送りローラ１０５ａ、１０５ｂによって副走査方向へ用紙が送られるライン式プリンタであるインクジェットプリンタ１０１であって、
　ヘッド本体１ａは、主走査方向に延在した矩形平面形状をしており、多数の圧力室１０やノズル先端のインク吐出口８が形成された流路ユニット４を有しており、流路ユニット４の最上部に配置されたキャビティプレート２２に形成された圧力室１０は、流路ユニット４の表面に開口しており、その上面には、千鳥状になって２列に配列された複数の台形のアクチュエータユニット２１が接着されており、
　１つのアクチュエータユニット２１の下部には、合計で４つの副マニホールド５ａがインクジェットヘッド１の主走査方向（長手方向）に沿って延在し、各副マニホールド５ａは、インク溜まり３から供給されたインクで満たされており、
　前記流路ユニット４内には、共に各インク吐出口８と連通した、平面形状が個別電極３５よりも一回り大きいほぼひし形の圧力室（キャビティ）１０と、アパーチャ１２とがそれぞれマトリクス状に規則的に配列され、各インク吐出口８は、圧力室１０及びアパーチャ１２を介して副マニホールド５ａと連通し、圧力室１０同士が密着して高密度に配列され、
　前記複数の圧力室１０は、ほぼひし形の平面形状をしており、第１配列方向（主走査方向、長手方向）に沿って鈍角部が互いに対向しつつ等間隔で配列され圧力室列１１ａ、１１ｂを構成しており、前記第１配列方向と鈍角をなす方向であって、圧力室１０の一斜辺に沿った方向に配列されており、
　一つの圧力室列を形成するほぼひし形の圧力室１０の一方の鋭角部は前記圧力室列の一方に隣接する圧力室列の２つの圧力室間に入り込み、前記一つの圧力室列を形成する圧力室１０の一方の斜辺と前記圧力室列の一方に隣接する圧力室列の圧力室の斜辺が接近するように位置しており、前記一つの圧力室列を形成するほぼひし形の圧力室１０の他方の鋭角部は他方に隣接する圧力室列の２つの圧力室間に入り込み、前記一つの圧力室列を形成する圧力室１０の他方斜辺と前記圧力室列の他方に隣接する圧力室列の圧力室の斜辺が接近するように位置しており、
　副マニホールド５ａには、副マニホールド５ａに沿って延びた２つの圧力室列１１ａと２つの圧力室列１１ｂの合計４つの圧力室列を形成している複数の圧力室１０がアパーチャ１２を介して連通しており、前記圧力室列１１ａを形成している複数の圧力室１０は、下方の鋭角部からアパーチャ１２が下方に延び、前記圧力室列１１ｂを形成している複数の圧力室１０は、上方の鋭角部からアパーチャ１２が上方に延びており、
　前記アクチュエータユニット２１は、４枚の圧電シート４１〜４４が積層され且つ電極が配されることによってそのうちの最上層だけが電界印加時に活性層となる部分を有する層とされ、残り３層が非活性層とされたものであり、アクチュエータユニット２１の上面であって平面視で各圧力室１０と実質的に重なり合う位置には、個別電極３５がそれぞれ設けられ、圧電シート４１〜４４は、多数の圧力室１０に跨って配置されるように連続した層状の平板（連続平板層）となっており、最上層にある圧電シート４１とその下方に隣接した圧電シート４２との間には、シート全面に形成された共通電極３４が介在しており、個別電極３５は、各圧力室１０に対応して選択的に電位を制御することができるように、リード線を介してドライバＩＣ１３２に接続されているインクジェットプリンタ１０１。」（以下「引用発明」という。）
　
４　対比
（１）本願発明と引用発明とを比較すると、引用発明の「用紙」、「副走査方向」、「一対の送りローラ１０５ａ、１０５ｂ」、「インク吐出口８」、「圧力室１０」、「『主走査方向』、『長手方向』あるいは『第１配列方向』」、「副マニホールド５ａ」、「流路ユニット４」、「『個別電極３５』、『個別電極３５』と対応する『共通電極３４』の部分及びその間の『活性層となる部分』」、「『多数の圧力室１０に跨って配置されるように連続した層状の平板（連続平板層）』である『圧電シート４１』」、「個別電極３５」、「共通電極３４」、「アクチュエータユニット２１」、「ドライバＩＣ１３２」、「鈍角部」、「圧力室列１１ａ、１１ｂ」、「マトリクス状に規則的に配列」及び「ライン式プリンタであるインクジェットプリンタ１０１」は、それぞれ本願発明の「被印字媒体」、「一方向」、「搬送手段」、「ノズル」、「圧力室」、「一方向と交差する方向Ａ」、「共通インク室」、「流路ユニット」、「アクチュエータ」、「複数の圧力室に跨るように連続して延在する板状の圧電シート」、「個別電極」、「共通電極」、「アクチュエータユニット」、「アクチュエータ制御手段」、「鈍角部」、「圧力室列」、「マトリクス状に隣接配置」及び「ライン式インクジェット記録装置」に相当する。
（２）引用発明は「一対の送りローラ１０５ａ、１０５ｂによって副走査方向へ用紙が送られるライン式プリンタ」であるから、被印字媒体を一方向に搬送する搬送手段を備えているといえる。
（３）引用発明は「ヘッド本体１ａは、主走査方向に延在した矩形平面形状をしており、多数の圧力室１０やノズル先端のインク吐出口８が形成された流路ユニット４を有しており、流路ユニット４の最上部に配置されたキャビティプレート２２に形成された圧力室１０は、流路ユニット４の表面に開口しており」、「１つのアクチュエータユニット２１の下部には、合計で４つの副マニホールド５ａがインクジェットヘッド１の主走査方向（長手方向）に沿って延在し、各副マニホールド５ａは、インク溜まり３から供給されたインクで満たされて」いるから、インク吐出面に形成された複数のノズルと、一表面に開口するとともに前記ノズルに連通する複数の圧力室と、前記一方向（被印字媒体を搬送する方向）と交差する方向Ａに沿って延在し、前記一方向に並ぶとともにインクが貯溜される複数の共通インク室と、前記共通インク室の出口から圧力室を経て前記ノズルに至る複数の個別インク流路とが形成されており、前記方向Ａに延在した流路ユニットを備えているといえる。
（４）引用発明は「その（流路ユニット４の）上面に」「アクチュエータユニット２１が接着されており」、「アクチュエータユニット２１は、４枚の圧電シート４１〜４４が積層され且つ電極が配されることによってそのうちの最上層だけが電界印加時に活性層となる部分を有する層とされ、残り３層が非活性層とされたものであり、アクチュエータユニット２１の上面であって平面視で各圧力室１０と実質的に重なり合う位置には、個別電極３５がそれぞれ設けられ、圧電シート４１〜４４は、多数の圧力室１０に跨って配置されるように連続した層状の平板（連続平板層）となっており、最上層にある圧電シート４１とその下方に隣接した圧電シート４２との間には、シート全面に形成された共通電極３４が介在して」いるから、流路ユニットの一表面に固定され、それぞれが対応する圧力室内のインクに吐出エネルギーを付与する複数のアクチュエータが、前記複数の圧力室に跨るように連続して延在する板状の圧電シートと、前記圧電シートの表面に前記圧力室とそれぞれ対向して配置された複数の個別電極と、前記複数の個別電極とともに前記圧電シートを挟む共通電極とを含む積層体に形成されたアクチュエータユニットを備えているといえる。
（５）引用発明は「個別電極３５は、各圧力室１０に対応して選択的に電位を制御することができるように、リード線を介してドライバＩＣ１３２に接続されている」ものであり、ドライバＩＣ１３２が吐出信号を供給することは当業者に自明であるから、引用発明の「ドライバＩＣ１３２」と本願発明の「アクチュエータ制御手段」とは、複数のアクチュエータに吐出信号を供給する点で共通する。
（６）引用発明は「平面形状が個別電極３５よりも一回り大きいほぼひし形の圧力室（キャビティ）１０と、アパーチャ１２とがそれぞれマトリクス状に規則的に配列され」、「複数の圧力室１０は、ほぼひし形の平面形状をしており、第１配列方向（主走査方向、長手方向）に沿って鈍角部が互いに対向しつつ等間隔で配列され圧力室列１１ａ、１１ｂを構成しており、前記第１配列方向と鈍角をなす方向であって、圧力室１０の一斜辺に沿った方向に配列されており」、「千鳥状になって２列に配列された複数の台形のアクチュエータユニット２１」に対応して、引用発明の「圧力室１０」も千鳥状になって２列に配列されていることが当業者に自明であるから、引用発明の「圧力室１０」と、本願発明の「圧力室」とは、特定の平面形状を有し、前記方向Ａ（被印字媒体を搬送する方向と交差する方向）に沿って鈍角部が互いに対向しつつ等間隔で配列して圧力室列を構成しているとともに、前記方向Ａと鈍角をなす方向であって、前記圧力室の一斜辺に沿った方向Ｂに配列して、千鳥状配列パターンでマトリクス状に隣接配置されている点で共通する。
（７）引用発明は「副マニホールド５ａには、副マニホールド５ａに沿って延びた２つの圧力室列１１ａと２つの圧力室列１１ｂの合計４つの圧力室列を形成している複数の圧力室１０がアパーチャ１２を介して連通して」いるから、同じ共通インク室に連通したｎ（ｎ：２以上の自然数）個の圧力室が、当該共通インク室に沿って延びたｍ個の圧力室列を形成しているといえる。
（８）（１）ないし（７）より、本願発明と引用発明とは、
「被印字媒体を一方向に搬送する搬送手段と、
　インク吐出面に形成された複数のノズルと、一表面に開口するとともに前記ノズルに連通する複数の圧力室と、前記一方向と交差する方向Ａに沿って延在し、前記一方向に並ぶとともにインクが貯溜される複数の共通インク室と、前記共通インク室の出口から圧力室を経て前記ノズルに至る複数の個別インク流路とが形成されており、前記方向Ａに延在した流路ユニットと、
　前記流路ユニットの一表面に固定され、それぞれが対応する前記圧力室内のインクに吐出エネルギーを付与する複数のアクチュエータが、前記複数の圧力室に跨るように連続して延在する板状の圧電シートと、前記圧電シートの表面に前記圧力室とそれぞれ対向して配置された複数の個別電極と、前記複数の個別電極とともに前記圧電シートを挟む共通電極とを含む積層体に形成されたアクチュエータユニットと、
　前記複数のアクチュエータに吐出信号を供給するアクチュエータ制御手段とを備えており、
　前記複数の圧力室は、特定の平面形状を有し、前記方向Ａに沿って鈍角部が互いに対向しつつ等間隔で配列して前記圧力室列を構成しているとともに、前記方向Ａと鈍角をなす方向であって、前記圧力室の一斜辺に沿った方向Ｂに配列して、千鳥状配列パターンでマトリクス状に隣接配置され、
　同じ前記共通インク室に連通したｎ（ｎ：２以上の自然数）個の圧力室が、当該共通インク室に沿って延びたｍ個の圧力室列を形成しているライン式インクジェット記録装置。」
の点で一致し、以下の点で相違している。
［相違点１］圧力室の平面形状に関し、本願発明は「菱形」と特定されているのに対し、引用発明は「ほぼひし形」である点。
［相違点２］アクチュエータ制御手段に関し、本願発明は「複数のアクチュエータに２以上ｍ（ｍ：２以上の自然数）以下の種類の吐出タイミングで吐出信号を供給する」、「前記被印字媒体が前記搬送手段によって前記一方向に関する印字の解像度に対応する単位距離だけ搬送されるのに要する時間を印字周期としたとき、１つの前記印字周期において、前記同じ共通インク室に係る前記ｍ個の圧力室列に対して、当該圧力室列を単位として前記吐出信号を隣接する圧力室列間において互いに異なる吐出タイミングで供給するとともに、前記共通インク室に係る前記圧力室列と、当該圧力室列との間に前記圧力室を挟まずに隣接する前記圧力室列であって当該共通インク室に隣接する別の前記共通インク室に係る前記圧力室列とに対しても前記吐出信号を互いに異なる吐出タイミングで供給する」と特定されているのに対し、引用発明は、吐出信号を供給するものの、吐出タイミングは明らかでない点。
　
５　判断
（１）上記相違点１について検討する。
　圧力室の平面形状に関し、本願明細書には以下の記載がある。
　・【００３５】・・・流路ユニット４の上面には、図３に示すように、多数の圧力室１０がマトリクス状に配列している。いずれも
ほぼ菱形
　・【００３８】　キャビティプレート２２は、圧力室１０となる
ほぼ菱形
　
　上記記載によると、本願発明の「菱形」は「ほぼ菱形」を包含しているものと認められる。
　そうすると、相違点１は、実質的な相違点ではない。
　
（２）上記相違点２について検討する。
　ア　刊行物１のキには、第２の実施の形態について記載されており、圧電シートに溝部を形成し、圧電シートの変形による影響を隣接する圧力室１０上の圧電シートに伝わりにくくし、隣接した圧力室１０間のクロストークの発生を低減させることが記載されている。即ち、隣接した圧力室１０間の構造部材を介した振動の影響（構造的クロストーク）の発生が示唆されている。
　引用発明は「一つの圧力室列を形成するほぼひし形の圧力室１０の一方の鋭角部は前記圧力室列の一方に隣接する圧力室列の２つの圧力室間に入り込み、前記一つの圧力室列を形成する圧力室１０の一方の斜辺と前記圧力室列の一方に隣接する圧力室列の圧力室の斜辺が接近するように位置しており、前記一つの圧力室列を形成するほぼひし形の圧力室１０の他方の鋭角部は他方に隣接する圧力室列の２つの圧力室間に入り込み、前記一つの圧力室列を形成する圧力室１０の他方斜辺と前記圧力室列の他方に隣接する圧力室列の圧力室の斜辺が接近するように位置しており」、「圧電シート４１〜４４は、多数の圧力室１０に跨って配置されるように連続した層状の平板（連続平板層）となっており」、圧力室列を形成する圧力室の振動が隣接する圧力室列の圧力室に伝わりやすい構造をしていることが当業者に明らかである。
　イ　また、原査定で引用され、本願出願前に頒布された特開２００３−１４５７７１号公報（以下「刊行物２」という。）には「ノズル列２５４ｃ、２５４ｄのノズル２１３は、これらのノズルが両方とも右インク供給スロット２４３ｂからインクを供給されるので、クロストークの視点からは隣り合ったノズルであるとみなされる。」（段落【００４３】）と記載され、ノズル列、即ち、圧力室列間の流体的クロストークは、本願出願前に認識されていたものと認められる。
　引用発明は「副マニホールド５ａには、副マニホールド５ａに沿って延びた２つの圧力室列１１ａと２つの圧力室列１１ｂの合計４つの圧力室列を形成している複数の圧力室１０がアパーチャ１２を介して連通しており、前記圧力室列１１ａを形成している複数の圧力室１０は、下方の鋭角部からアパーチャ１２が下方に延び、前記圧力室列１１ｂを形成している複数の圧力室１０は、上方の鋭角部からアパーチャ１２が上方に延びて」いる、即ち、アパーチャ１２の副マニホールド５ａへの連通部は、副走査方向（圧力室列が並んでいる方向）に密な配置となっており、圧力室列間の流体的クロストークが生じやすい構造をしていることが当業者に明らかである。
　ウ　引用発明は、上記ア及びイで述べたように、圧力室列間で構造的クロストーク及び流体的クロストークが生じやすい構造をしており、クロストークを低減することは自明の課題であり、クロストークの低減手段として、吐出タイミングを異ならせることは、本願出願前に周知技術（特開２０００−１４１６４５号公報、段落【００７６】、特開２００１−５６４０７号公報、段落【００５１】参照。）であるから、引用発明において、圧力室列間での構造的クロストーク及び流体的クロストークを低減するべく、アクチュエータ制御手段（ドライバＩＣ１３２）を複数のアクチュエータに２以上ｍ（ｍ：２以上の自然数）以下の種類の吐出タイミングで吐出信号を供給するものとし、同じ共通インク室に係る前記ｍ個の圧力室列に対して、当該圧力室列を単位として前記吐出信号を隣接する圧力室列間において互いに異なる吐出タイミングで供給するとともに、前記共通インク室に係る前記圧力室列と、当該圧力室列との間に前記圧力室を挟まずに隣接する前記圧力室列であって当該共通インク室に隣接する別の前記共通インク室に係る前記圧力室列とに対しても前記吐出信号を互いに異なる吐出タイミングで供給するようにすることは当業者が容易になし得る程度のことである。そして、そのように吐出信号を互いに異なる吐出タイミングで供給する際、どのような周期で供給するかは設計事項にすぎず、印字の解像度に対応する単位距離だけ搬送するのに要する時間は、搬送手段の搬送速度で自由に変更できるものであるから、被印字媒体が搬送手段によって一方向（搬送方向）に関する印字の解像度に対応する単位距離だけ搬送されるのに要する時間を印字周期としたとき、１つの前記印字周期において、前記のように吐出信号を互いに異なる吐出タイミングで供給し、本願発明の上記相違点２に係る構成を採用することは当業者が容易になし得る程度のことである。
　
（３）以上のとおりであるから、本願発明の上記相違点１及び２に係る構成は、刊行物１に記載された発明、刊行物２に記載の事項及び周知技術に基づいて当業者が容易に想到することができたものであり、それにより得られる効果も当業者が予測できる範囲のものである。
　
６　むすび
　以上のとおり、本願発明は、刊行物１に記載された発明、刊行物２に記載の事項及び周知技術に基づいて、当業者が容易に発明をすることができたものであり、特許法第２９条第２項の規定により特許を受けることができないものである。
　よって、結論のとおり審決する。